(57)【特許請求の範囲】
【請求項１】
使用状態でほぼ垂直な軸心を持つ本体と、
この本体の上記軸心の下端に下向きに設けられ、受持防火区画のうち近距離領域に散水するための近距離散水範囲を持つ近投ヘッドと、
上記本体の上記軸心に対してほぼ直角方向に延びた軸心を持つヘッダと、
上記ヘッダに設けられ、上記受持防火区画のうち上記近距離散水範囲よりも遠い遠距離領域に散水するための遠距離散水範囲を持つ複数の遠投ヘッドと、
上記本体と上記ヘッダとの間に設けられて、上記ヘッダの角度位置を調節することで上記遠投ヘッドの角度位置を調節する角度調節装置とを
備えたことを特徴とする水噴霧ヘッド。
【請求項２】
上記角度調節装置が、上記本体から延びて上記ヘッダに接続された連結管と、上記連結管および上記ヘッダに設けられて互いにネジ係合した平行ネジ部と、上記平行ネジ部を固定する回り止めとを備えたことを特徴とする請求項１記載の水噴霧ヘッド。
【請求項３】
上記角度調節装置が、上記本体から延びて上記ヘッダに接続された連結管と、上記連結管および上記ヘッダに跨って設けられたユニオンナットを有して上記連結管および上記ヘッダを結合するユニオン継手とを備えたことを特徴とする請求項１記載の水噴霧ヘッド。
【請求項４】
上記複数の遠投ヘッドの軸心は、上記本体の上記軸心を通る基準径方向に対して異なる開き角度を持ち、上記ヘッダの上記軸心は、そのヘッダに設けられた上記遠投ヘッドの軸心の上記開き角度の平均に対して直角となる角度であることを特徴とする請求項１乃至３のいずれか記載の水噴霧ヘッド。
【請求項５】
上記軸心の角度の平均は、上記複数の遠投ヘッドの軸心のうち最大開き角度の軸心と最小開き角度の軸心との平均をとることを特徴とする請求項１乃至４のいずれか記載の水噴霧ヘッド。
【請求項６】
上記軸心の角度の平均は、上記遠投ヘッドの全ての軸心の開き角度の平均をとることを特徴とする請求項１乃至４のいずれか記載の水噴霧ヘッド。
【請求項７】
上記複数の遠投ヘッドの軸心は、少なくとも２つの異なる迎角を持つことを特徴とする請求項１乃至６のいずれか記載の水噴霧ヘッド。
【発明の詳細な説明】
【０００１】
【発明の属する技術分野】
この発明は水噴霧ヘッドに関するものである。
【０００２】
【従来の技術】
トンネルや建物等の建造物に於ける水噴霧ヘッドによる散水システムに於いては、複数の水噴霧ヘッドのそれぞれが所定の防火区画を受持ち、火災発生時には水噴霧ヘッドからの散水によりその受持防火区画全体を覆うような散水を行うようにしてある。このような受持防火区画に散水するための従来の水噴霧ヘッドは、給水配管に接続される本体に複数の散水ヘッドを設け、個々の散水ヘッドが受持防火区画内のそれぞれの担当の所定領域に散水できるようにし、受持防火区画全体を散水によって覆うようにしてある。受持防火区画が広い場合には散水ヘッドの数を増やしたり遠投用や近投用など種類を増やしてこれらを組み合わせたりしている。
【０００３】
図９に示す従来の水噴霧ヘッドは、給水配管１Ｓに接続された使用状態でほぼ垂直な軸心２Ｓを持つほぼ円筒形の本体３Ｓと、この本体３Ｓの軸心２Ｓの下端に下向きに設けられ、受持防火区画のうち近距離領域に散水するための近距離散水範囲を持つ近投ヘッド４Ｓと、本体３Ｓに設けられ、受持防火区画のうち近距離散水範囲よりも遠い遠距離領域に散水するための遠距離散水範囲を持つ複数の遠投ヘッド５Ｓとを備えている。
【０００４】
【発明が解決しようとする課題】
このような水噴霧ヘッドの遠投ヘッド５Ｓの垂直方向の放水角度（迎角）を調節する必要がある場合には、遠投ヘッド５Ｓは本体３Ｓに固定的に取り付けられているため、水噴霧ヘッドを支持している給水配管１Ｓを曲げる等して水噴霧ヘッド即ちその軸心２Ｓを傾けなければならなかった。このようにして水噴霧ヘッドの軸心２Ｓを傾けると、遠投ヘッド５Ｓと共に近投ヘッド４Ｓも一緒に傾いてしまい、近距離散水範囲の分布形状が変化してしまうという不都合があった。また、複数の遠投ヘッド５Ｓの内の特定のものだけについて放水角度を変化させることはできなかった。更に、剛性の高い配管を現場で微妙な角度だけ曲げる作業は極めて困難であり、事実上角度調整ができなかった。
【０００５】
また、配管の接続部にはテーパネジが使用されており、水噴霧ヘッドのヘッド本体と散水ヘッドとの接続部にも、テーパネジの雄ネジにシールテープを巻いて雌ネジにねじ込んだ接続部が採用され、角度調節をした状態で現場に出荷していたが、現場でのネジ部による角度調整はシール性に問題を生ずる原因となるため事実上角度調整ができなかった。
【０００６】
従って、本発明の課題は上述のような従来の水噴霧ヘッドの課題を解決することであり、特に比較的簡単な構造で近投ヘッドの放水角度を変えずに、遠投ヘッドの放水角度の垂直方向成分だけを調節できる水噴霧ヘッドを得ることである。
【０００７】
【課題を解決するための手段】
上述の課題を解決するために、本発明の水噴霧ヘッドは、給水配管に接続されるべきヘッダと、上記ヘッダに設けられた散水ヘッドと、上記給水配管と上記ヘッダとの間に設けられ、上記給水配管に対する上記ヘッダおよび上記散水ヘッドの角度位置を調節できるようにする角度調節装置とを備え、上記角度調節装置が平行ネジ部あるいはユニオン継手である。
【０００８】
また、使用状態でほぼ垂直な軸心を持つ本体と、この本体の軸心の下端に下向きに設けられ、受持防火区画のうち近距離領域に散水するための近距離散水範囲を持つ近投ヘッドと、本体の軸心に対してほぼ直角方向に延びた軸心を持つヘッダと、ヘッダに設けられ、受持防火区画のうち近距離散水範囲よりも遠い遠距離領域に散水するための遠距離散水範囲を持つ複数の遠投ヘッドと、本体とヘッダとの間に設けられてヘッダおよび遠投ヘッドの水平に対する角度を調節できるようにする角度調節装置とを備えたものである。
【０００９】
角度調節装置は、上記本体から延びて上記ヘッダに接続された連結管と、上記連結管および上記ヘッダに設けられて互いにネジ係合した平行ネジ部と、上記平行ネジ部を固定する回り止めとを備えたものでも良い。
【００１０】
上記角度調節装置は、上記本体から延びて上記ヘッダに接続された連結管と、上記連結管および上記ヘッダに跨って設けられたユニオンナットを有して上記連結管および上記ヘッダを結合するユニオン継手とを備えたものでも良い。
【００１１】
上記角度調節装置は、粘性シール材を備えたものでも良い。
【００１２】
上記複数の遠投ヘッドの軸心は、上記本体の上記軸心を通る基準径方向に対して異なる開き角度を持つものとし、上記ヘッダの上記軸心は、そのヘッダに設けられた上記遠投ヘッドの軸心の上記開き角度の平均に対して直角となる角度としても良い。
【００１３】
上記軸心の角度の平均は、上記複数の遠投ヘッドの軸心のうち最大開き角度の軸心と最小開き角度の軸心との平均をとったものとしても良い。
【００１４】
上記軸心の角度の平均は、上記遠投ヘッドの全ての軸心の開き角度の平均をとったものとしても良い。
【００１５】
上記複数の遠投ヘッドの軸心は、少なくとも２つの異なる迎角を持つものとしても良い。
【００１６】
【発明の実施の形態】
実施の形態１．
図１には本発明の一実施形態の水噴霧ヘッド１を示してあり、水噴霧ヘッド１は、給水配管２に接続するためのフランジ付きの給水部３に接続され、使用状態でほぼ垂直な軸心４を持つほぼ中空円筒形のヘッド本体５と、ヘッド本体５の軸心４と同心にヘッド本体５の下端に下向きに設けられ、受持防火区画のうち近距離領域に散水するための近距離散水範囲を持つデフレクタ式の近投ヘッド６とを備えている。ヘッド本体５にはまた、ヘッド本体５の軸心４に対してほぼ直角方向に延びた軸心７を持つ２本のヘッダ８が設けられていて、各ヘッダ８には、受持防火区画のうち近距離散水範囲よりも遠い遠距離領域に散水するための遠距離散水範囲を持つ２本の遠投ヘッド９および１０が設けられている。
【００１７】
この発明によれば、水噴霧ヘッド１はヘッド本体５とヘッダ８との間に設けられてヘッダ８および遠投ヘッド９および１０の水平に対する角度を調節できるようにする角度調節装置１１を備えている。図２に示すように、角度調節装置１１は、ヘッド本体５から一体に延びた連結管１２の先端部外周に形成された平行ネジ部１３と、ヘッダ８の内周に形成されて、連結管１２の平行ネジ部１３にネジ係合した平行ネジ部１４と、平行ネジ部１３および１４を互いに固定する止めネジ即ち回り止め１５とを備えている。回り止め１５としては、図２の止めネジの代わりに、あるいは止めネジと併用して図３に示す如きロックナット１６を使用することもできる。ロックナット１６は単独で用いても良いし、スプリングワッシャ１７と共に用いても良い。また、平行ネジのシールについては角度調節装置１１の平行ネジ部１３および１４の間に、製造、組立時に粘性シール材１８を塗布して置くことにより保たれる。即ち工事現場にて必要に応じて、回り止め１５を外すと、粘性シール材によって平行ネジ部１３、１４間は固着していないので、容易に回動し、迎角調節することができ、調節後回り止め１５を締める。粘性シール材なので、この調整作業による平行ネジ部１３、１４間のシール性が失われることなくその後もシール性を保ち続ける。粘性シール材１８として適当なものは、テフロン系の非硬化性のシール材である「ラコシール」（登録商標）、非硬化性粘着型の「ヘルメシール」（登録商標）、硬化するとゴム弾性体となり、伸縮性があり少ない変位ならば追従できるシリコーンシーラント等である。
【００１８】
水噴霧ヘッド１はこのように構成されているので、出荷する際には、連結管１２と放水ヘッダ８との間の角度調節装置１１により遠投ヘッド９および１０の角度を調節して回り止め１５により固定し、ネジ締込み位置の合わせ印１９を雌雄ネジに跨って引き描いておく。現場ではそのまま設置するが、角度調整が必要になったものについては、回り止め１５を緩めてロックを解除し、放水ヘッダ８の六角把持部８ａをモンキースパナ等によって掴み、所望の方向に適当量回して散水障害物等をかわせるようにあるいは散水範囲を変更するように角度調節する。この際、ネジが平行ネジであるので回して微調整することはねじ込み（締込み）あるいは外し（緩め）のいずれの方向にも容易にでき、いずれの方向に回してもシール性が維持できる。所望の角度に調節できたら回り止め１５によってロックする。なお、散水障害物が除去されたり、散水範囲の変更が解除されたり、あるいは何らかの原因で誤って不必要な回転を与えてしまった場合には、先に述べたネジ締込み位置の合わせ印１９が合うように回し戻せば、出荷時の角度に戻すことができ、当初の性能を再現することができる。
【００１９】
図４に示す水噴霧ヘッド１に設けられている複数の遠投ヘッド９および１０のそれぞれの図示しない軸心ＡおよびＢは、図１に示すように垂直面内の方向成分（仰角）を持っている。また、図４により明確に示されているように、ヘッド本体５の正面方向即ち軸心４を通る基準径方向Ｒに対して異なる開き角度θＡおよびθＢである水平面内方向成分を持っている。また、ヘッダ８の軸心７は、そのヘッダ８に設けられた遠投ヘッド９および１０の軸心ＡおよびＢの開き角度θＡおよびθＢの平均の角度θＭに対して直角となる角度θＭ＋９０°である。図示の例では各放水ヘッド８に設けられている遠投ヘッド９および１０が２本であるので、θＭはθＡおよびθＢの和に１／２を掛けた値である。
【００２０】
このように、図示の例では、遠投ヘッド９および１０の軸心ＡおよびＢの角度θＡおよびθＢの平均を平均をとることは、その放水ヘッダ８の全ての遠投ヘッド（９および１０）の軸心（ＡおよびＢ）の開き角度（θＡおよびθＢ）の平均をとることである。しかしながら、各放水ヘッダ８に３本以上の遠投ヘッドが設けられている場合には、適切な角度の算出を容易にするためにそれらのうち最大開き角度の軸心と最小開き角度の軸心との平均をとっても良い。
【００２１】
放水ヘッダ８をこのように配置して、その軸心７が基準径方向Ｒに対して遠投ヘッドの平均開き角度に９０°を加えた角度となるようにすれば、遠投ヘッド９および１０の仰角の角度調節をしても２つの遠投ヘッド９および１０の放水角度の仰角の変化量が等しくなる。
【００２２】
図５にはこのような配置をせずに、放水ヘッダ８の軸心７が基準径方向Ｒに対して９０°の角度となるように配置されていて、遠投ヘッド９および１０の開き角度がそれぞれθＡおよびθＢと異なっている場合を示す。この場合、遠投ヘッド９および１０が回転軸である放水ヘッダ８の軸心７に対して傾いている角度が比較的大きく相違している。一般にこのような場合、遠投ヘッド９および１０が同じ回転角度だけ軸心７回りに回転したときには、軸心７に対する傾きが小さく、基準径方向Ｒに対する開き角度θＡが大きい軸心Ａは、軸心Ａの水平とのなす角、即ち仰角が少ししか変わらないが、軸心７に対する傾きが大きく、基準径方向Ｒに対する開き角度θＢが小さい軸心Ｂは、その方向即ち仰角が大きく変化することは知られている。このため、遠投ヘッド９および１０の仰角の角度調節をするために放水ヘッダ８を軸心７回りに回転させると、小さな開き角度θＢの遠投ヘッド９の軸心Ｂ（放水角度）の変化量は大きくなり、大きな開き角度θＡの遠投ヘッド１０の軸心Ａ（放水角度）の変化量は小さくなり、２つの遠投ヘッド９および１０の放水角度の変化量が等しくなくなる。放水角度の変化量に差が生ずると、散水の射程が変化して遠距離散水範囲の散水パターンが変化してしまうという不都合がある。
【００２３】
放水ヘッダ８を図４に示すように配置して、その軸心７が基準径方向Ｒに対して遠投ヘッドの平均開き角度θＭに９０°を加えた角度となるようにすれば、この問題が解消されて、遠投ヘッド９および１０の仰角の角度調節をしても２つの遠投ヘッド９および１０の放水角度の変化量が等しくなるのである。
【００２４】
このような構成は、複数の遠投ヘッド９および１０の軸心ＡおよびＢが、少なくとも２つの異なる迎角を持っている場合にも同様の効果を奏する。
【００２５】
実施の形態２．
図６にはこの発明の水噴霧ヘッドに使用できる別の角度調節装置２１であるユニオン継手を示す。この角度調節装置２１は、ヘッド本体５から一体に延びた連結管１２の先端部外周に形成されたユニオンネジ部２２と、放水ヘッダ８の接続端部に形成されてユニオンネジ部２２の端面に対向する端面を持つフランジ部２３と、一端に連結管１２のユニオンネジ部２２にネジ係合するネジ２４を持ち、他端に放水ヘッダ８側のフランジ部２３と係合する内向きフランジ２５を持ち、これらの間に跨って設けられたユニオンナット２６とを備えている。ユニオンネジ部２２の端面とフランジ部２３の端面との間には、この間をシールするパッキング２７が設けられている。ユニオンネジ部２２にユニオンナット２６を固定するために止めネジ即ち回り止め２８を設けるのが望ましい。回り止め２８としては、ロックナット（図示してない）を先に説明した実施形態と同様に使用することもできる。ユニオンネジ部とフランジ部とを入れ換えて取り付けて、放水ヘッダ８側にユニオンネジ部２２を設け、ヘッダ本体５側にフランジ部２３を設けてもよい。また、市販のユニオン継手を用いるようにしても良い。その際、このユニオン継手と連結管１２の間、およびユニオン継手とヘッダ８との間の接続は、例えばシールテープによるてーぱネジで行う。
【００２６】
このようなユニオン継手を用いた角度調節２１を用いた水噴霧ヘッド１に於いては、ユニオンナット２６の締付あるいは緩めにより連結管１２と放水ヘッド８との間の位置関係を固定したり調節可能にしたりすることができ、先の平行ネジを用いた角度調節１１の場合と同様に、角度位置の調整、固定、再調整および再固定等をすることが容易にできる。
【００２７】
実施の形態３．
図７および図８には本発明の角度調整装置である平行ネジ部あるいはユニオン継手を備えた別の水噴霧ヘッド３０の実施形態を示してある。図に於いて、この水噴霧ヘッド３０は、給水配管３１に接続されるべきヘッダ３２と、ヘッダ３２に設けられた散水ヘッドである近投ヘッド３３および遠投ヘッド３４と、給水配管３１とヘッダ３２との間に設けられて、給水配管３１に対するヘッダ３２および散水ヘッド３３および３４の角度位置を調節できるようにする角度調節装置３５とを備えている。この実施例では、角度調節装置３５は図２あるいは図３に示す如き平行ネジ部であって、給水配管３１の接続部外周に形成された平行ネジ部３６（図８）が、ヘッダ３２の接続部の内周に形成された平行ネジ部３７（図７）にネジ係合している。先に説明した適当なシール材（図示してない）を併用するのが望ましい。また、先に説明した回り止めを併用するのが望ましい。更に、このような角度調節装置３５は散水ヘッドが一つだけの場合にも適用できる。また角度調節装置３５として図６に示す如きユニオン継手を用いることもできることは勿論である。このような構成によっても、簡単な構成で給水配管３１とヘッダ３２との間のシール性能を損なわずに容易に散水ヘッド３３、３４の角度を微妙に調整することができる。
【００２８】
【発明の効果】
（１）上述の課題を解決するために、本発明の水噴霧ヘッドは、給水配管に接続されるべきヘッダと、上記ヘッダに設けられた散水ヘッドと、上記給水配管と上記ヘッダとの間に設けられ、上記給水配管に対する上記ヘッダおよび上記散水ヘッドの角度位置を調節できるようにする角度調節装置とを備え、上記角度調節装置が平行ネジ部あるいはユニオン継手であるので、簡単な構成でシール性能を損なわずに容易に散水ヘッドの角度を調節できる水噴霧ヘッドを得ることができる。
【００２９】
（２）また、本発明の水噴霧ヘッドは、使用状態でほぼ垂直な軸心を持つ本体と、この本体の軸心の下端に下向きに設けられ、受持防火区画のうち近距離領域に散水するための近距離散水範囲を持つ近投ヘッドと、本体の軸心に対してほぼ直角方向に延びた軸心を持つヘッダと、ヘッダに設けられ、受持防火区画のうち近距離散水範囲よりも遠い遠距離領域に散水するための遠距離散水範囲を持つ複数の遠投ヘッドと、本体とヘッダとの間に設けられてヘッダおよび遠投ヘッドの水平に対する角度を調節できるようにする角度調節装置とを備えたものである。従って、比較的簡単な構造で近投ヘッドの放水角度を変えずに、遠投ヘッドの放水角度の垂直方向成分だけを簡単に調節できる水噴霧ヘッドを得ることができる。
【００３０】
（３）角度調節装置は、上記本体から延びて上記ヘッダに接続された連結管と、上記連結管および上記ヘッダに設けられて互いにネジ係合した平行ネジ部と、上記平行ネジ部を固定する回り止めとを備えているので、角度調節が容易で設定した角度が意図せずに変わってしまうことがなく信頼性が高い。
【００３１】
（４）上記角度調節装置は、上記本体から延びて上記ヘッダに接続された連結管と、上記連結管および上記ヘッダに跨って設けられたユニオンナットを有して上記連結管および上記ヘッダを結合するユニオン継手とを備えたものであるので、角度調節が容易で設定した角度が意図せずに変わってしまうことがなく信頼性が高い。
【００３２】
（５）上記複数の遠投ヘッドの軸心は、上記本体の上記軸心を通る基準径方向に対して異なる開き角度の水平面内方向成分を持つとき、上記ヘッダの上記軸心は、そのヘッダに設けられた上記遠投ヘッドの軸心の上記開き角度の平均に対して直角となる角度としてあるので、ヘッダを回転して角度調節をしたときにも遠投ヘッドの放水角度（迎角）の変化量が互いにほぼ等しくなり、散水パターンの寸法や形状が望ましくないあるいは予期せぬものになってしまうことを防げる。
【００３３】
（６）上記軸心の角度の平均は、上記複数の遠投ヘッドの軸心のうち最大開き角度の軸心と最小開き角度の軸心との平均をとったものとするので、平均開き角度を算出する作業が容易である。
【００３４】
（７）上記軸心の角度の平均は、上記遠投ヘッドの全ての軸心の開き角度の平均をとったものとするので、迎角の変化量を均一化するための放水ヘッダの角度の設定をより理想に近いものにできる。
【００３５】
（８）上記複数の遠投ヘッドの軸心は、少なくとも２つの異なる迎角を持つものであるので、より広い範囲の散水パターンに対応できる。
【図面の簡単な説明】
【図１】  本発明の一実施形態の水噴霧ヘッドを示す側面図である。
【図２】  本発明の水噴霧ヘッドの角度調節装置を示す部分断面図である。
【図３】  本発明の水噴霧ヘッドの角度調節装置の別の例を示す部分断面図である。
【図４】  本発明の水噴霧ヘッドの放水ヘッダの配置を示す概略平面図である。
【図５】  本発明の水噴霧ヘッドの放水ヘッダの配置の作用を説明するための参考図であり、図４と同様だが本発明の放水ヘッダの配置を採用してないものを示す概略平面図である。
【図６】  本発明の水噴霧ヘッドの角度調節装置の第２の実施形態を示す部分断面図である。
【図７】  本発明の水噴霧ヘッドの第３の実施形態を示す側面図である。
【図８】  本発明の水噴霧ヘッドの第３の実施形態を示す図６に対応する正面図である。
【図９】  従来の水噴霧ヘッドを示す側面図である。
【符号の説明】
５  本体、近投ヘッド、７  軸心、８  ヘッダ、９、１０  遠投ヘッド、１１、２１  角度調節装置、１２  連結管、１３  平行ネジ部、１５  回り止め、２１  ユニオン継手、２６  ユニオンナット、１８  粘性シール材、θＡ、θＢ  開き角度、Ｒ  基準径方向。
【図１】
0003988852.tif 000002
【図２】
0003988852.tif 000003
【図３】
0003988852.tif 000004
【図４】
0003988852.tif 000005
【図５】
0003988852.tif 000006
【図６】
0003988852.tif 000007
【図７】
0003988852.tif 000008
【図８】
0003988852.tif 000009
【図９】
0003988852.tif 000010